(57)【特許請求の範囲】
【請求項１】
浴室と脱衣室との間に介在される壁体に形成される取付孔に挿入され、軸線方向に同一断面を有する筒体と、
筒体の軸線方向両端部にそれぞれ固定され、筒体の内孔に連通する透孔が形成されるとともに、壁体の各壁面よりも外側で筒体の外周部よりも半径方向外方に突出するフランジ部が形成される板状の取付部材と、
各取付部材の前記フランジ部に取付けられ、各取付部材の透孔に連通するホース挿入孔を有し、前記取付部材を外側から覆う化粧カバーとを含み、
前記化粧カバーを取付部材に固定することによって、化粧カバーの周縁部は、壁体の各壁面に全周にわたって弾発的に押付けられた状態で接触することを特徴とするホース保持具。
【請求項２】
前記取付孔は、壁体に浴室から脱衣室に向かって上方に傾斜して形成され、
前記化粧カバーは、その周縁部を壁体の浴室および脱衣室に臨む各壁面に接触させた状態で、各取付部材に設けられ、
各化粧カバーのうち少なくとも浴室側に設けられる化粧カバーには、可撓性および弾発性を有する材料から成り、複数のシート状の分割片によって前記ホース挿入孔を塞ぐグロメットが装着されることを特徴とする請求項１記載のホース保持具。
【発明の詳細な説明】
【０００１】
【発明の属する技術分野】
本発明は、浴室と脱衣室との間に介在される仕切壁およびその仕切壁に建込まれる浴室扉のドア固定パネルなどの壁体に設けられ、脱衣室に設置される洗濯機の洗濯排水ホースなどホースの先端部を挿入して保持するためのホース保持具に関する。
【０００２】
【従来の技術】
図１３は、従来の技術のホース保持具１を示す鉛直断面図である。このホース保持具１は、浴室２と脱衣室３との間に介在される壁体４に、その厚み方向（図１３の左右方向）に垂直に取付孔５が穿設され、この取付孔５に浴室２側から装着される筒体６と、取付孔５に脱衣室３側から装着される化粧カバー７と、この化粧カバー７に装着されるグロメット８とを有する。
【０００３】
このようなホース保持具１には、脱衣室３に設置される洗濯機の洗濯排水ホースの先端部が脱衣室３側から浴室２側へ挿入され、脱衣室３に排水設備が設けられていない建物であっても、洗濯によって発生した洗濯排水を浴室２内へ導いて排水することができる。
【０００４】
前記筒体６は、洗濯排水ホースの先端部に対応する断面形状の内孔１０を有する筒状本体１１と、筒状本体１１の軸線方向のほぼ中央部から半径方向外方に突出するフランジ部１２とを有する。筒状本体１１の軸線方向一端部は、浴室２内へ突出し、軸線方向他端部は前記取付孔５内に挿入される。フランジ部１２は壁体４の浴室側壁面１３に当接してタッピングねじ１６によって壁体４に固定される。筒状本体１１の軸線方向他端部には、外ねじ１７が刻設される。
【０００５】
前記化粧カバー７は、筒状本体１１よりも大径の直円筒状のカバー本体２０と、カバー本体２０の脱衣室３側に配置される軸線方向一端部に連なり、半径方向外方に突出するフランジ部２１とを有する。カバー本体２０の内周部には、内ねじ２２が刻設され、この内ねじ２２は前記筒状本体１の外ねじ１７に螺合する。フランジ部２１には、前記グロメット８が装着される。このグロメット８は、ごむなどの可撓性および弾発性を有する材料から成り、大略的に円板状であり、十字状の切欠き２３によって４つの分割片２４ａ〜２４ｄに分割されている。
【０００６】
これらの分割片２４ａ〜２４ｄを浴室２側へ押開くようにして洗濯排水ホースの先端部を挿入することによって、各分割片２４ａ〜２４ｄが洗濯排水ホースの蛇腹状の隆起部分に係合し、洗濯排水ホースの曲がり癖または排水時の水の重量による引き抜き力などに抗して抜止めし、また洗濯排水ホースを挿入しないときには、前記フランジ部２１内の開口を塞いで、浴室２から筒体６および化粧カバー７内へ飛散した水が脱衣室３へ流れ出してしまうことを防止することができるように構成されている。
【０００７】
【発明が解決しようとする課題】
上記の従来の技術では、筒状本体１１のフランジ部１２が壁体４にタッピングねじ１６によって固定されるので、壁体４に前記タッピングねじ１６を螺着するための下穴を形成する必要が生じ、施工上手間を要するとともに、浴室などの止水性を要求される壁体４に、タッピングねじ１６によってねじ穴が形成されることは、水密性を低下させ、止水上、好ましくないという問題がある。
【０００８】
また壁体４は、ドアパネル、コンクリート壁および化粧合板などによって実現され、その厚さＴはたとえば４０〜１５０ｍｍ程度の範囲で変化する。したがって筒体６のフランジ部１２から脱衣室３側の軸線方向他端部までの軸線方向の長さＬ１および化粧カバー７のカバー本体２０の軸線方向の長さＬ２の少なくとも一方を、前記壁体４の厚さＴに応じて異ならせる必要があるため、複数の種類の筒体６または化粧カバー７もしくは双方を準備しなければならず、部品点数が多くなってしまうという問題がある。
【０００９】
筒体６および化粧カバー７は、壁体４の取付孔５にほぼ水平に設けられるので、筒体６および化粧カバー７の内周面の下側の領域に、侵入した水が滞留してしまう。また筒体６の外ねじ１７に化粧カバー７の内ねじ２２が螺合して、筒体６に化粧カバー７が螺着されるので、筒状本体１１の脱衣室３側に配置される軸線方向他端部の端面１１ａとグロメット８との間には、カバー本体２０によって外囲される環状空間２５が形成され、この環状空間２５の下側の領域にもまた、侵入した水が滞留してしまう。このようにホース保持具１内に水が滞留すると、雑菌などが発生し、不衛生であるという問題が生じる。
【００１０】
本発明の目的は、壁体にねじ穴を形成せずにホース保持具を取付けることができるようにして、取付作業の手間を削減し、止水性の低下を防止することができるホース保持具を提供することである。
【００１１】
本発明の他の目的は、水の滞留を防ぐことができるようにしたホース保持具を提供することである。
【００１２】
【課題を解決するための手段】
請求項１記載の本発明は、浴室と脱衣室との間に介在される壁体に形成される取付孔に挿入され、軸線方向に同一断面を有する筒体と、
筒体の軸線方向両端部にそれぞれ固定され、筒体の内孔に連通する透孔が形成されるとともに、壁体の各壁面よりも外側で筒体の外周部よりも半径方向外方に突出するフランジ部が形成される板状の取付部材と、
各取付部材の前記フランジ部に取付けられ、各取付部材の透孔に連通するホース挿入孔を有し、前記取付部材を外側から覆う化粧カバーとを含み、
前記化粧カバーを取付部材に固定することによって、化粧カバーの周縁部は、壁体の各壁面に全周にわたって弾発的に押付けられた状態で接触することを特徴とするホース保持具である。
【００１３】
本発明に従えば、浴室と脱衣室との間に介在される壁体には、取付孔が形成され、この取付孔には筒体が挿入される。この筒体の軸線方向両端部には、板状の取付部材がそれぞれ固定される。各取付部材には、筒体の内孔に連通する透孔が形成されるとともに、壁体の各壁面よりも外側で筒体の外周部よりも半径方向外方に突出するフランジ部が形成される。各取付部材の前記フランジ部には、化粧カバーが取付けられる。化粧カバーは、各取付部材の透孔に連通するホース挿入孔を有し、前記取付部材を外側から覆う。
【００１４】
このように壁体の取付孔に挿入された筒体の軸線方向両端部に板状の取付部材を固定し、この取付部材に化粧カバーが設けられるので、壁体にねじ穴を形成せずにホース保持具を取付けることができ、壁体を損傷することなく、取付作業の手間を少なくして、高い水密性を達成することができる。
【００１５】
また壁体の厚さが異なっても、その壁体の厚さに応じた長さの筒体を準備すればよく、取付部材および化粧カバーは、壁体の厚さに拘わらず共通に用いることができ、筒体だけを壁体の厚さに対応する長さのものを準備すればよく、少ない部品点数によってホース保持具を実現することができる。
【００１６】
さらに前記筒体が軸線方向に同一断面を有することによって、たとえば押出型材などの長尺材を現場または工場において、取り付けられるべき壁体の厚さに対応する長さに切断して用いることができる。これによって壁体の施工誤差などによる厚みの微小変化に伴う長さ調整のために、筒体を切除して破棄される材料の無駄を可及的に少なくすることができるとともに、このような長さ調整のための筒体の取付孔への挿入および抜き取り作業、筒体の切断作業を少なくして、取付作業の手間を低減することができる。
【００１７】
請求項２記載の本発明は、前記取付孔は、壁体に浴室から脱衣室に向かって上方に傾斜して形成され、
前記化粧カバーは、その周縁部を壁体の浴室および脱衣室に臨む各壁面に接触させた状態で、各取付部材に設けられ、
各化粧カバーのうち少なくとも浴室側に設けられる化粧カバーには、可撓性および弾発性を有する材料から成り、複数のシート状の分割片によって前記ホース挿入孔を塞ぐグロメットが装着されることを特徴とする。
【００１８】
本発明に従えば、前記筒体は、軸線方向に同一の断面形状を有し、浴室から脱衣室に向かって上方に傾斜しているので、浴室から筒体に向かって勢いよく水が飛散して筒体内に侵入しても、侵入した水は、筒体の勾配によって浴室側へ流れ落ち、筒体内に滞留しない。したがって前記従来の技術のように、滞留した水によって雑菌などが発生するという不具合が防がれ、衛生的なホース保持具が実現される。
【００１９】
また各化粧カバーのうち少なくとも浴室側に設けられる化粧カバーに上記のグロメットが装着され、かつ各化粧カバーの周縁部が各壁面にそれぞれ接触させた状態で取付けられるので、浴室から筒体へ向かって勢いよく飛散しても、その水はグロメットによって遮断され、筒体内への侵入を阻止して、脱衣室側へ水が侵入することを確実に防止することができる。また前記グロメットによって、たとえば冬期などに脱衣室から浴室へ温度の低い空気が流れ込むことが防がれるので、入浴者が浴室内で寒さを感じるという不具合が生じない。
【００２０】
【発明の実施の形態】
図１は、本発明の実施の一形態のホース保持具３０を示す鉛直断面図であり、図２は図１の上方から見た水平断面図である。本実施の形態のホース保持具３０は、浴室３１と脱衣室３２との間に介在される壁体３３に、浴室３１から脱衣室３２に向かって上方に傾斜する取付孔３４が形成され、この取付孔３４に挿入される筒体３５と、筒体３５の軸線方向両端部にそれぞれ固定され、筒体３５の内孔３６に連通する透孔３７ａ，３７ｂが形成されるとともに、壁体３３の各壁面３８ａ，３８ｂよりも外側で筒体３５の外周部よりも半径方向外方に突出するフランジ部３９ａ１，３９ａ２；３９ｂ１ｂ２が形成される板状の取付部材４０ａ，４０ｂと、各取付部材４０ａ，４０ｂの前記フランジ部３９ａ１，３９ａ２；３９ｂ１，３９ｂ２に取付けられ、各取付部材４０ａ，４０ｂの透孔３７ａ，３７ｂに連通するホース挿入孔４１ａ，４１ｂを有し、壁体３３の浴室３１および脱衣室３２に臨む各壁面３８ａ，３８ｂに周縁部４２ａ，４２ｂを周方向全周にわたって接触させた状態で、前記取付部材４０ａ，４０ｂを各壁面３８ａ，３８ｂに対して外側から覆う化粧カバー４３ａ，４３ｂとを含む。
【００２１】
各化粧カバー４３ａ，４３ｂには、可撓性および弾発性を有する材料から成り、複数（本実施の形態では４）のシート状の分割片４４ａ，４４ｂによって前記ホース挿入孔４１ａ，４１ｂを塞ぐグロメット４５ａ，４５ｂが装着される。前記可撓性および弾発性を有する材料としては、ゴム、合成ゴムおよび軟質合成樹脂のうちの１つを選択的に用いることができる。このような材料から成るグロメット４５ａ，４５ｂの表面は、かびおよび雑菌の発生および増殖を防止するため、撥水処理および抗菌処理されていることが好ましい。
【００２２】
浴室３１側に配置される取付部材４０ａと筒体３５の軸線方向一端部との間には、可撓性および弾発性を有する材料であるたとえばブチルゴムから成るパッキン４７が介在されるとともに、このパッキン４７の外周面と、前記筒体３５軸線方向一端部の外周面と、壁体３３の浴室３１側の壁面３８ａとにわたって、湿式シール材４８が周方向全周に打設され、取付部材４０ａと壁面３８ａとの間が水密に塞がれている。
【００２３】
また脱衣室３２側に配置される取付部材４０ｂと筒体３５の軸線方向他端部との間には、可撓性および弾発性を有する材料であるたとえばクロロプレンゴム（略称ＣＲゴム）から成るパッキン４９が介在される。このパッキン４９の外周部は、筒体３５軸線方向他端部の端面と、壁体３３の脱衣室３２側の壁面３８ｂとにわたって弾発的に当接し、水密性を達成している。
【００２４】
前記壁体３３は、後述の図３に示されるように、浴室３１と脱衣室３２とを仕切る仕切り壁５２の開口部５３に建込まれた片開き戸５０のドアパネルであって、４０ｍｍ程度の厚さＴを有する。この場合、筒体３５の部材軸線７１が水平な仮想一平面ｍ１に対する傾斜角度θは、約１０°に選ばれる。
【００２５】
図３は、ホース保持具３０の壁体３３への取付状態を示す浴室３１側から見た正面図である。前記片開き戸５０は、扉枠５５と、この扉枠５５の一方の竪枠５６に沿って建込まれたドアパネルである壁体３３と、壁体３３の他方の竪枠５７寄りの一側部に上下一対のヒンジ５８，５９によって浴室３１側で鉛直な回転軸線まわりに角変位自在に連結される扉本体６０とを有する。壁体３３の下部には、前述のホース保持具３０が設けられる。
【００２６】
このホース保持具３０の取付位置は、浴室３１に敷設された防水パンなどによって実現される浴室床面６１から上方に高さＨの位置に浴室３１側の化粧カバー４３ａの下端が配置されるように取付けられる。この高さＨは、浴室３１から脱衣室３２への水の流出の防止、ならびにホース保持具３０の取付工事の際に前記取付孔３４を形成するための穿孔装置の設置スペースおよび作業スペースの確保のために、扉枠５５の一部を構成する下枠６２の上面６３よりも上方に設定される。このような高さＨは、一例として述べると、１５０〜２００ｍｍ程度に選ばれる。
【００２７】
図４は、筒体３５の具体的構成を説明するための軸直角断面図であり、図１の切断面線ＩＶ−ＩＶから見た断面を示す。前記筒体３５は、アルミニウム合金から成る押出形材によって実現され、たとえば３〜４ｍ程度の予め定める長さを有する長尺材として製造される。筒体３５の外周面７０は、外径Ｄ１を有する直円筒状であり、その内部には、前述の水平な仮想一平面ｍ１に対して角度θを成す部材軸線７１と平行に、洗濯排水ホースの先端部に設けられる吐出管７２を円滑に挿入し、かつ抜き取ることができる開口断面を有する吐出管挿入孔７３と、この吐出管挿入孔７３から上方に連なり、前記吐出管７２から半径方向外方に突出して一体的に設けられる略Ｌ字状のフック片７４を円滑に挿入し、かつ抜き取ることができる開口面積を有するフック片挿入孔７５と、前記部材軸線７１を含む鉛直な仮想一平面ｍ２に関して左右対称に、肉盗みなどとも呼ばれる一対の孔７６ａ，７６ｂと、前記鉛直な仮想一平ｍ２面に関して左右対称に、前記孔７６ａ，７６ｂにそれぞれ連通する一対の蟻溝７７ａ，７７ｂとが形成される。
【００２８】
再び図１をも参照して、このような筒体３５の軸線方向両端部の各端面７８ａ，７８ｂは、壁体３３の各壁面３８ａ，３８ｂに対して取付状態でほぼ平行にする必要があるため、前記部材軸線７１に垂直な仮想一平面ｍ３に対して角度α１，α２を成し、かつ前記鉛直な仮想一平面に垂直な平面内に形成される。この平面は、各壁面３８ａ，３８ｂと平行であり、本実施の形態では、各壁面３８ａ，３８ｂとそれぞれ同一平面を成し、したがって各端面７８ａ，７８ｂと各壁面３８ａ，３８ｂとは、同一平面を成しており、θ＝α１＝α２である。
【００２９】
前記吐出管挿入孔７３は、部材軸線７１よりも下方に中心点８２を有する内径Ｄ２の円を、前記部材軸線７１に沿って移動させることによって形成される内周面８３を有する。したがって各壁面３８ａ，３８ｂに対して垂直に見ると、円形の端面形状を呈するが、部材軸線７１に垂直な断面では、縦長の長円形状となる。このような吐出管挿入孔７３の上方に、前記フック片挿入孔７５が連なって形成されている。
【００３０】
図５は、浴室３１側に設けられる一方の取付部材４０ａの正面図である。前記一方の取付部材４０ａは、筒体３５の内孔３６に連通する透孔３７ａが形成されるとともに、壁体３３の浴室３側の壁面３８ａよりも外側、すなわち浴室３１内に突出して、筒体３５の外周部よりも半径方向外方に突出するフランジ部３９ａ１，３９ａ２が水平方向（図５の左右方向）両側に形成される。
【００３１】
このような取付部材４０ａは、ステンレス鋼から成り、フランジ部３９ａ１，３９ａ２には、内側にボルト挿通孔９０ａ１，９０ａ２を有する一対の切起こし部９１ａ１，９１ａ２が形成され、外側に一対のねじ孔９２ａ１，９２ａ２が形成される。各切起こし部９１ａ１，９１ａ２は、筒体３５の軸線方向一端部の端面７８ａに臨む一表面９３ａ（図１および図２参照）とは反対側の他表面９４ａから隆起し、前記端面７８ａと平行に傾斜している。
【００３２】
各ボルト挿通孔９０ａ１，９０ａ２には、ボルト９５ａ１，９５ａ２の軸部が挿通され、筒体３５の蟻溝７７ａ，７７ｂに螺着され、こうして取付部材４０ａが筒体３５の軸線方向一端部の端面７８ａに取付けられる。
【００３３】
図６は、脱衣室３２側に設けられる他方の取付部材４０ｂの正面図である。前記他方の取付部材４０ｂは、筒体３５の内孔３６に連通する透孔３７ｂが形成されるとともに、壁体３３の脱衣室３２側の壁面３８ｂよりも外側に突出して、筒体３５の外周部よりも半径方向外方に突出するフランジ部３９ｂ１，３９ｂ２が水平方向（図６の左右方向）両側に形成される。
【００３４】
このような取付部材４０ｂは、ステンレス鋼から成り、フランジ部３９ｂ１，３９ｂ２には、内側にボルト挿通孔９０ｂ１，９０ｂ２を有する一対の切起こし部９１ｂ１，９１ｂ２が形成され、外側に一対のねじ孔９２ｂ１，９２ｂ２が形成される。各切起こし部９１ｂ１，９１ｂ２は、筒体３５の軸線方向他端部の端面７８ｂに臨む一表面９３ｂとは反対側の他表面９４ｂから隆起し、前記端面７８ｂと平行に傾斜している。
【００３５】
各ボルト挿通孔９０ｂ１，９０ｂ２には、ボルト９５ｂ１，９５ｂ２の軸部が挿通され、筒体３５の蟻溝７７ｂ１，７７ｂ２に螺着され、こうして取付部材４０ｂが筒体３５の軸線方向他端部の端面７８ｂに取付けられる。
【００３６】
図７は、浴室３１側に設けられる一方のパッキン４７の正面図であり、図８は図７の切断面線ＶＩＩＩ−ＶＩＩＩから見た断面図である。前記一方のパッキン４７は、前記筒体３５の軸線方向地端部の端面７８ａの外周縁を含み、この外周縁よりもわずかに大きい外径を有し、厚みがたとえば１ｍｍのブチルゴムから成る円形のシート状体によって実現される。
【００３７】
このようなパッキン４７には、筒体３５の内孔３６および前記一方の取付部材４０ａの透孔３７ａに対応した形状の孔９３ａが形成されるとともに、水平方向（図７の左右方向）両側の領域には、前記一方の取付部材４０ａの各ねじ孔９２ａ１，９２ａ２に連通する一対のボルト挿通孔１０１ａ１，１０１ａ２が形成される。
【００３８】
前記脱衣室３２側に設けられる他方のパッキン４９は、上記の一方のパッキン４７と正面形状は同一であり、材質がＣＲゴムから成り、厚みがたとえば４ｍｍと大きい点でのみ異なる。
【００３９】
図９は、浴室３１側に設けられる一方の化粧カバー４３ａの背面図であり、図１０は図９の切断面線Ｘ−Ｘから見た断面図であり、図１１は図９の切断面線ＸＩ−ＸＩから見た断面図である。この化粧カバー４３ａは、大略的に横長の長円形状であって、中央の領域には、筒体３５の内孔３６をほぼ外囲する程度の内径を有するホース挿入孔４１ａが形成される。また水平方向（図９および図１０の左右方向）両側の領域には、ボルト１０４ａ１，１０４ａ２（図１参照）の軸部が挿通するボルト挿通孔１０５ａ１，１０５ａ２と、各ボルト挿通孔１０５ａ１，１０５ａ２と同軸にボルト１０４ａ１，１０４ａ２の頭部が嵌まり込む凹所１０６ａ１，１０６ａ２とが形成される。
【００４０】
各ボルト１０４ａ１，１０４ａ２の軸部は、化粧カバー４３ａの前記各ボルト挿通孔１０５ａ１，１０５ａ２を挿通して、前記取付部材４０ａのねじ孔９２ａ１，９２ａ２に螺着される。この状態で各ボルト１０４ａ１，１０４ａ２を締付けると、化粧カバー４３ａの周縁部４２ａが壁体３３の浴室３１側の壁面３８ａに当接した後、各ボルト挿通孔１０５ａ１，１０５ａ２が形成される凹所１０６ａ１，１０６ａ２が取付部材４０ａに当接する。このようにして化粧カバー４３ａの周縁部４２ａは、壁面３８ａに周方向全周にわたって弾発的に押付けられた状態で、前記化粧カバー４３ａが筒体３５の軸線方向一端部に固定される。
【００４１】
もう一方の脱衣室３２側に設けられる他方の化粧カバー４３ｂは、上記の一方の化粧カバー４３ａと同一に構成され、同様に筒体３５の軸線方向他端部に固定される。前述の図１および図２においては、前記一方の化粧カバー４３ａおよび各ボルト１０５ａ１，１０５ａ２と対応する部分は、同一の数字に添字ｂを付し、重複を避けて説明は省略する。
【００４２】
以上の構成によれば、壁体３３の取付孔３４に挿入された筒体３５の軸線方向両端部に板状の取付部材４０ａ，４０を固定し、この取付部材４０ａ，４０に化粧カバー４３ａ，４３ｂが設けられるので、壁体３３をねじ穴などによって損傷することなしにホース保持具３０を取付けることができ、取付作業に手間がかからず、前記ねじ穴による止水性の低下がなく、高い水密性を達成することができる。
【００４３】
また壁体３３の厚さＴが異なっても、その壁体３３の厚さＴにほぼ等しい長さの筒体３５を準備すればよく、取付部材４０ａ，４０および化粧カバーは、壁体３３の厚さに拘わらず共通に用いることができ、筒体３５だけを壁体３３の厚さに対応する長さのものを準備すればよく、少ない部品点数によって、厚さＴの異なる壁体３３に取付可能なホース保持具を実現することができる。
【００４４】
さらに前記筒体３５は、軸線方向に同一の断面形状を有し、浴室３１から脱衣室３２に向かって上方に傾斜しているので、浴室３１から筒体３５に向かって勢いよく水が飛散して筒体３５内に侵入しても、侵入した水は、筒体３５の勾配によって浴室３１側へ流れ落ち、筒体３５内に滞留しない。したがって前記従来の技術のように、滞留した水にって雑菌などが発生するという不具合が防がれ、衛生的なホース保持具が実現される。
【００４５】
さらに前記筒体３５が軸線方向に同一断面を有することによって、たとえば押出型材などの長尺材を、現場または工場において、取り付けられるべき壁体３３の厚さＴに対応する長さに切断して用いることができる。これによって壁体３３の施工誤差などによる厚みの微小変化に伴う長さ調整のために、筒体３５を切除して破棄される材料の無駄を可及的に少なくすることができるとともに、このような長さ調整のための筒体３５の取付孔３４への挿入および抜き取り作業、筒体３５の切断作業を少なくして、取付作業の手間を少なくすることができる。
【００４６】
また上記の実施の形態によれば、各化粧カバー４３ａ，４３ｂのうち少なくとも浴室３１側に設けられる化粧カバー４３ａに上記のグロメット４５ａ，４５ｂが装着されるので、浴室から筒体３５へ向かって勢いよく飛散しても、その水はグロメット４５ａ，４５ｂによって遮断され、筒体３５内への侵入を阻止して、脱衣室側へ水が侵入することを確実に防止することができる。また前記グロメット４５ａ，４５ｂによって、たとえば冬期などに脱衣室から浴室へ温度の低い空気が流れ込むことが防がれるので、入浴者が浴室内で寒さを感じるという不具合が生じない。
【００４７】
図１２は、本発明の実施の他の形態のホース保持具に用いられる化粧カバー１４３の取付部材１４０への取付構造を示す一部の拡大断面図であり、化粧カバー１４３および取付部材１４０の水平断面における左側の一側部が拡大して示されている。なお、前述の実施の形態と対応する部分には、同一の参照符を付す。前述の実施の形態では、各化粧カバー４３ａ，４３ｂは各取付部材４０ａ，４０ｂにボルト１０５ａ１，１０５ａ２；１０５ｂ１，１０５ｂ２によって取付けられたが、本実施の形態では、各化粧カバー１４３の水平方向（図１２の左右方向）両側の領域に、周縁部１４２と同一側、すなわち図１２の上方へ突出する一対の係止片１６０が左右対称に一体的に形成される。この係止片１６０は、取付部材１４０の両側部に切欠いて形成された係合凹部１６１に外側方から嵌まり込んで弾発的に係合し、化粧カバー１４３を取付部材１４０に係止する。
【００４８】
このような構成によって、上記の実施の形態と同様な効果が達成されるとともに、前記ボルト１０５ａ１，１０５ａ２；１０５ｂ１，１０５ｂ２の締付作業が不要となり、取付作業の工程数が削減されてホース保持具の取付作業が簡素化されるとともに、部品点数が削減されて、ホース保持具の製造コストを低減することができる。
【００４９】
本発明のホース保持具は、洗濯機の排水ホースを保持するためだけでなく、たとえば空調機の室内ユニットのドレン管を挿通して保持するために用いることができ、また浴槽内の水をポンプによって汲み上げて洗濯機の洗濯槽内に導くいわゆる風呂水汲み上げ用ホースを挿通して保持するためなどにも用いることができる。
【００５０】
【発明の効果】
請求項１記載の本発明によれば、壁体の取付孔に挿入された筒体の軸線方向両端部に板状の取付部材を固定し、この取付部材に化粧カバーが設けられるので、壁体のねじ穴などによる損傷がなく、取付作業の手間を少なくして、高い水密性を達成することができる。また壁体の厚さが異なっても、その壁体の厚さに応じた長さの筒体を準備すればよく、取付部材および化粧カバーは、壁体の厚さに拘わらず共通に用いることができ、筒体だけを壁体の厚さに対応する長さのものを準備すればよく、前記従来の技術に比べて、部品点数を格段に少なくすることができる。
【００５１】
また前記筒体は、軸線方向に同一の断面形状を有し、浴室から脱衣室に向かって上方に傾斜しているので、浴室から筒体に向かって勢いよく水が飛散して筒体内に侵入しても、侵入した水は、筒体の勾配によって浴室側へ流れ落ち、筒体内に滞留しない。したがって前記従来の技術のように、滞留した水にって雑菌などが発生するという不具合が防がれ、衛生的なホース保持具が実現される。
【００５２】
さらに前記筒体が軸線方向に同一断面を有することによって、たとえば押出型材などの長尺材を現場または工場において、取り付けられるべき壁体の厚さに対応する長さに切断して用いることができる。これによって壁体の施工誤差などによる厚みの微小変化に伴う長さ調整のために、筒体を切除して破棄される材料の無駄を可及的に少なくすることができるとともに、このような長さ調整のための筒体の取付孔への挿入および抜き取り作業、筒体の切断作業を少なくして、取付作業の手間を低減することができる。
【００５３】
請求項２記載の本発明によれば、各化粧カバーのうち少なくとも浴室側に設けられる化粧カバーにグロメットが装着されるので、浴室から筒体へ向かって勢いよく飛散しても、その水はグロメットによって遮断され、筒体内への侵入を阻止して、脱衣室側へ水が侵入することを確実に防止することができる。また前記グロメットによって、たとえば冬期などに脱衣室から浴室へ温度の低い空気が流れ込むことが防がれるので、入浴者が浴室内で寒さを感じるという不具合が生じない。
【図面の簡単な説明】
【図１】本発明の実施の一形態のホース保持具３０を示す鉛直断面図である。
【図２】図１の上方から見た水平断面図である。
【図３】ホース保持具３０の壁体３３への取付状態を示す浴室３１側から見た正面図である。
【図４】筒体３５の具体的構成を説明するための軸直角断面図であり、図１の切断面線ＩＶ−ＩＶから見た断面を示す。
【図５】浴室３１側に設けられる一方の取付部材４０ａの正面図である。
【図６】脱衣室３２側に設けられる他方の取付部材４０ｂの正面図である。
【図７】浴室３１側に設けられる一方のパッキン４７の正面図である。
【図８】図７の切断面線ＶＩＩＩ−ＶＩＩＩから見た断面図である。
【図９】浴室３１側に設けられる一方の化粧カバー４３ａの背面図である。
【図１０】図９の切断面線Ｘ−Ｘから見た断面図である。
【図１１】図９の切断面線ＸＩ−ＸＩから見た断面図である。
【図１２】本発明の実施の他の形態のホース保持具に用いられる化粧カバー１４３の取付部材１４０への取付構造を示す一部の拡大断面図である。
【図１３】従来の技術のホース保持具１を示す鉛直断面図である。
【符号の説明】
３０  ホース保持具
３１  浴室
３２  脱衣室
３３  壁体
３４  取付孔
３５  筒体
３６  内孔
３７ａ，３７ｂ  透孔
３８ａ，３８ｂ  壁面
３９ａ，３９ｂ  フランジ部
４０ａ，４０ｂ  取付部材
４１ａ，４１ｂ  ホース挿入孔
４２ａ，４２ｂ  周縁部
４３ａ，４３ｂ  化粧カバー
４４ａ，４４ｂ  分割片
４５ａ，４５ｂ  グロメット
５０  片開き戸
５２  仕切り壁
５３  開口部
５５  扉枠
５６  一方の竪枠
５７  他方の竪枠
５８，５９  ヒンジ
６０  扉本体
６１  浴室床面
６２  下枠６２
６３  上面６３
７０  筒体３５の外周面
７１  筒体３５の部材軸線
７２  吐出管
７３  吐出管挿入孔
７４  フック片
７５  フック片挿入孔
７６ａ，７６ｂ  孔
７７ａ，７７ｂ  蟻溝
７８ａ，７８ｂ  端面
【図１】
0004477196.tif 000002
【図２】
0004477196.tif 000003
【図３】
0004477196.tif 000004
【図４】
0004477196.tif 000005
【図５】
0004477196.tif 000006
【図６】
0004477196.tif 000007
【図７】
0004477196.tif 000008
【図８】
0004477196.tif 000009
【図９】
0004477196.tif 000010
【図１０】
0004477196.tif 000011
【図１１】
0004477196.tif 000012
【図１２】
0004477196.tif 000013
【図１３】
0004477196.tif 000014